(57)【要約】      （修正有）【課題】  認証装置において不正使用者が推測でパスワードを入力することに対してリスクを負わせるような仕組みを提供する。【解決手段】  認証装置において、パス情報記憶手段に正規の対象者を示す認証情報であるパス情報を記憶し、トラップ情報記憶手段に前記正規の対象者に関する偽の認証情報であるトラップ情報を１以上記憶する。そして、認証情報受付手段が任意の対象者から認証情報の入力を受け付け、パス情報判断手段が受け付けられた認証情報を、前記パス情報記憶手段に記憶されたパス情報と比較し、一致する場合に第１の信号を発生させる一方、トラップ情報判断手段が受け付けられた認証情報を、前記トラップ情報記憶手段に記憶されたトラップ情報と比較し、一致する場合に第２の信号を発生させる。【選択図】  図２
2006139743.tif 000002
【特許請求の範囲】
【請求項１】
正規の対象者を示す認証情報であるパス情報を記憶するパス情報記憶手段と、
前記正規の対象者に関連する情報より選んだ偽の認証情報であるトラップ情報を１以上記憶するトラップ情報記憶手段と、
任意の対象者から認証情報の入力を受け付ける認証情報受付手段と、
受け付けられた認証情報を、前記パス情報記憶手段に記憶されたパス情報と比較し、一致する場合に第１の信号を発生させるパス情報判断手段と、
受け付けられた認証情報を、前記トラップ情報記憶手段に記憶されたトラップ情報と比較し、一致する場合に第２の信号を発生させるトラップ情報判断手段と
を有する認証装置。
【請求項２】
前記パス情報記憶手段は、対象者の識別情報と関連付けてパス情報を記憶し、
前記トラップ情報記憶手段は、対象者の識別情報と関連付けてトラップ情報を記憶し、
前記認証情報受付手段は、前記任意の対象者から認証情報とともに識別情報を受け付け、
前期パス情報判断手段は、受け付けられた認証情報を、受け付けられた識別情報に関連付けて前記パス情報記憶手段に記憶されているパス情報と比較し、
前記トラップ情報判断手段は、受け付けられた認証情報を、受け付けられた識別情報に関連付けて前記トラップ情報記憶手段に記憶されているトラップ情報と比較する
請求項１に記載の認証装置。
【請求項３】
前記第２の信号を受けて正規の対象者あるいは管理者にトラップ情報を受け付けたことを通知する警報手段をさらに有する請求項１または２記載の認証装置。
【請求項４】
前記偽の認証情報であるトラップ情報は、正規の対象者が設定するものに加えて、正規の対象者に関連する情報から自動的に設定される請求項１又は２又は３記載の認証装置。
【請求項５】
コンピューターに請求項１又は２又は３又は４記載の認証装置としての機能を実現させるプログラム。
【発明の詳細な説明】
【技術分野】
【０００１】  本発明はコンピュータネットワーク等において、正規の対象者本人を確認するための認証情報を受け付けて認証の正否を判定する認証装置に関する。
【背景技術】
【０００２】  現金預け払い機や、コンピューターにおける機密情報へのアクセスなどに対して、権限を有する使用者を判定するための認証システムが使用されている。これらの認証システムは一般的に、本人の識別情報と、識別情報に対応するパスワードを関連付けて記憶しており、入力されたパスワードと、入力された識別情報に関連付けて記憶されているパスワードとが一致するか否かによって認証の正否を判断する。このような認証システムにおいては、正しいパスワード以外のパスワードが入力された場合には、何も起こらないか、所定回数以上間違ったパスワードが入力されると不正使用として所定の信号が発せられ、それに対応して警告がなされたり、使用を制限する措置が取られたりする。
また、ユーザの元に攻撃者が訪れ脅迫状態において、ユーザにパスワードを入力させ、あるいは白状させることが起こった場合に、このリスクを回避するため、「脅迫信号」の仕組みが存在する。これはユーザに二つのパスワードを持たせておき、一つは正規のパスワードとし、もう一つは脅迫された条件下で使用するよう脅迫信号用のパスワードを設定しておき、脅迫下に置かれたユーザが脅迫者に知られないように脅迫状態を通信先に知らせることを可能にしたものである。
【特許文献１】特許第２６０１９８３号公報
【非特許文献１】Ｒｉｃｈａｒｄ  Ｅ．Ｓｍｉｔｈ著、「認証技術  パスワードから公開鍵まで」  株式会社オーム社出版、平成１５年４月２５日発行、ｐ．１９  ｐ．２０  ｐ．４７１
【発明の開示】
【発明が解決しようとする課題】
【０００３】  従来の認証システムでは一回のパスワードの誤りに対しては、正規の使用者の操作ミスである場合を考慮して何もしないようにすることが一般的である。しかし、パスワードは電話番号や誕生日など正規の使用者が記憶しやすいものが使用されることが、しばしばあるために、不正使用者はパスワードを推測して入力する場合がある。この場合、推測で入力したパスワードが間違っていても不正使用者に対しては何も不利益なことは生じない。従って、不正使用者はリスクを負うことなく、不正なパスワードを堂々と試すことが可能となっている。
また、「脅迫信号」の場合は、あらかじめ決められた脅迫信号用のパスワードを正規のユーザが入力することを想定して設定された仕組みであり、ユーザに隠れてパスワードを入力する不正使用者のように正規のパスワードも、脅迫信号用のパスワードも知らない者に対しては、効力がない。
すなわち、「脅迫信号」は脅迫された状態における正規のユーザを保護したり、攻撃者にリスクを負わせたりするためのものではなく、攻撃されたシステムのリソースや情報を保護するものであって、不正使用者の使用を排除するためのものではなく、不正使用者の使用を排除するという目的に対しては、無力であった。
また、「脅迫信号」はその存在が予想されると、脅迫者はより強力に脅迫を行うことで「脅迫信号」を使用させないようにする。ユーザもまた「脅迫信号」を使用したことが脅迫者に判ってしまった時のことを怖れて、自らの身の危険性が高くなることはないという状況以外ほとんど「脅迫信号」を使用しない。
本発明は、このような状況に鑑みて、認証装置において不正使用者が推測でパスワードを入力することに対してリスクを負わせ、たとえ一回の不正使用者の入力でもこれを検出して正規のユーザや管理者にこれを知らせることを可能とする仕組みを提供することを課題とする。
【課題を解決するための手段】
【０００４】  上記課題を解決するために、本発明は次のような構成を有する。
請求項１に記載の認証装置は、パス情報記憶手段に正規の対象者を示す認証情報であるパス情報を記憶し、トラップ情報記憶手段に前記正規の対象者に前記正規の対象者に関連する情報より選んだ偽の認証情報であるトラップ情報を１以上記憶する。そして、認証情報受付手段が任意の対象者から認証情報の入力を受け付け、パス情報判断手段が受け付けられた認証情報を、前記パス情報記憶手段に記憶されたパス情報と比較し、一致する場合に第１の信号を発生させる一方、トラップ情報判断手段が受け付けられた認証情報を、前期トラップ情報記憶手段に記憶されたトラップ情報と比較し、一致する場合に第２の信号を発生させるものである。
なお、認証情報としてはパスワードのような記号の羅列の他にも、指紋や虹彩などのパターン情報、図形情報など識別力のある情報であればどのようなものでも採用することができる。
請求項２に記載の発明は、前記認証装置において、前記パス情報記憶手段は、対象者の識別情報と関連付けてパス情報を記憶し、前期トラップ情報記憶手段は、対象者の識別情報と関連付けてトラップ情報を記憶する。そして、前記認証情報受付手段は、前記任意の対象者から認証情報とともに識別情報を受け付け、前記パス情報判断手段は、受け付けられた認証情報と、受け付けられた識別情報に関連付けて前記パス情報記憶手段に記憶されているパス情報とを比較し、前記トラップ情報判断手段は、受け付けられた認証情報と、受け付けられた識別情報に関連付けて前記トラップ情報記憶手段に記憶されているトラップ情報とを比較するものである。
請求項３に記載の発明は、前記認証装置において、前記第２の信号を受けて正規の対象者あるいは管理者にトラップ情報を受け付けたことを通知する警報手段をさらに有するものである。
請求項４に記載の発明は、前記認証装置において、前記偽の認証情報であるトラップ情報は、正規の対象者が設定するものに加えて、正規の対象者に関連する情報から自動的に設定されるものとしたものである。
請求項５に記載の発明は、コンピューターに請求項１又は２又は３又は４記載の認証装置としての機能を実現させるプログラムである。なお、コンピューターはパソコンやサーバーコンピューターのような汎用的なコンピューターの他にも自動預け払い機に組み込まれる専用のコンピューターが含まれる。
【発明の効果】
【０００５】  請求項１に記載の認証装置は、トラップ情報として正規の対象者に関連する情報、例えば正規の対象者の生年月日のような不正使用者が推測する可能性の高い情報を記憶させておくことで、不正使用者がトラップ情報を入力すると、トラップ情報判断手段が第２の信号を発生させることになるので、この第２の信号に対応させて警報を鳴らしたり、担当者に通報する等の措置を講じることにより、不正使用者に一定のリスクを負わせることができる。これにより、不正使用者は安易に認証情報を入力することが難しくなり、不正使用を抑制する効果が期待できる。つまりトラップ情報はその存在が予想されるだけで抑制効果が発生する、この効果はトラップ情報を導入したシステム全体に及ぶものであって、トラップ情報を設定しているユーザのみならず、設定していないユーザもその恩恵を受ける。トラップ情報として正規の対象者に関連する情報を選んでおくので不正使用者がトラップ情報を入力する確率が高くなり不正使用を防止できる可能性が高まる。
請求項２に記載の発明は、前記認証装置において、対象者の識別情報と関連付けてパス情報、トラップ情報を記憶し、判断するので、識別情報ごとにパス情報、トラップ情報を設定することができる。
請求項３に記載の発明ではさらに、前記第２の信号を受けて正規の対象者あるいは管理者にトラップ情報を受け付けたことを通知する警報手段をさらに有するので、不正使用を敏速に防止できるものである。
請求項４に記載の発明はまたさらに、前記認証装置において、前記偽の認証情報であるトラップ情報は、正規の対象者が設定するものに加えて、正規の対象者に関連する情報から自動的に設定されるものとしたので、正規の対象者のわずらわしい設定作業が低減され、多数のトラップ情報が設定可能である。
請求項５に記載の発明は、本プログラムを実行できるコンピューターがあれば本発明にかかる認証装置を実現できる。
【発明を実施するための最良の形態】
【０００６】  以下、本発明の実施の形態について、図面を参照しながら説明する。
図１に本発明に係る認証装置Ａのハードウェア構成を模式的に表すブロック図を示す。本認証装置Ａは現金預け払い機から送られる認証情報の認証を行うものである。認証装置Ａは一般的なコンピューターにより構成されるものであり演算処理を行うＣＰＵ１１、ＣＰＵの作業領域となるＲＡＭ１２、基本的なプログラムやデータを記録するＲＯＭ１３、ＣＰＵの動作タイミングを取るためのクロック１４、データやプログラムを記録するためのハードディスク１５が含まれる。また、認証装置Ａはネットワークインターフェイス１９を介して専用回線により複数の機械的に紙幣およびコインの受け入れおよび排出を行う現金自動預け払い機Ｘと接続されている。現金自動預け払い機Ｘには、表示装置としてのモニター１６、入力デバイスとしてのタッチパネル１７、カードから情報を読み取るためのカードリーダ１８が組み込まれている。
図２に本発明に係わる認証装置Ａの機能を模式的に示す機能ブロック図を示す。本認証装置Ａは機能的に、パス情報ファイル１０１、トラップ情報ファイル１０２、認証情報受付部１０３、パス情報判断部１０４、トラップ情報判断部１０５を含む。
パス情報ファイル１０１は、正規の対象者を示す認証情報であるパス情報を、この対象者の識別情報と関連付けて記憶する。図３（ａ）にパス情報ファイル１０１のレコード構造を模式的に示す。パス情報ファイル１０１は識別情報を主キーとしてパス情報を記憶している。パス情報はここでは正規の使用者により指定された物が一つの使用者ごとに一つ記憶されている。なお、一つの識別情報に対してパス情報を複数設定することも可能である。【０００７】  トラップ情報ファイル１０２は、前記正規の対象者に関する偽の認証情報であるトラップ情報を、この対象者の識別情報と関連付けて１以上記憶する。図３（ｂ）にトラップ情報ファイル１０２のレコード構造を模式的に示す。トラップ情報ファイル１０２は識別情報を主キーとしてトラップ情報を記憶している。なお、トラップ情報は正規の使用者により指定された情報が記憶され、複数の設定が可能である。このトラップ情報は、正規の対象者が設定するものに加えて、正規の対象者に関連する情報から生年月日などを取り出して自動的に設定するようにプログラムしておくことも考えられる。この場合、高齢者など正規の対象者でも設定がわずらわしい場合の、設定作業が低減できる。また、トラップ情報ファイルとパス情報ファイルはともに識別情報を主キーとしているので、一つのレコードにまとめられてもよい。
認証情報受付部１０３は、任意の対象者から認証情報と識別情報の入力を受け付ける。ここでは、識別情報及び認証情報は専用回線を通じて現金預け払い機Ｘから送信されてくるものであり、識別情報は現金預け払い機のカードリーダー１８により任意の対象者がよみとらせたカードから入力されるものが送信され、識別情報はタッチパネル１７から入力されるものが送信されるようになっている。
パス情報ファイル１０４は、受け付けられた識別情報に関連付けて前記パス情報記憶部１０１に記憶されているパス情報と受け付けられた認証情報とを比較し、一致する場合に現金預け払い機としての動作を行う現金預け払い動作実行装置Ｂが稼動し、通常の現金預け払い機としての正規の動作が行われることになる。【０００８】  正規の対象者判断部１０５は、受け付けられた識別情報に関連付けて前記トラップ情報ファイル１０２に記憶されているトラップ情報と受け付けられた認証情報とを比較し、一致する場合に第２の信号を発生させる。この第２の信号は現金預け払い機Ｘへ送信され、これによって不正使用に対応した措置を行う不正使用対応動作実行装置Ｃが所定の動作を行う。不正使用対応動作実行装置Ｃの具体的な動作として、ここでは、カードのカードリーダーからの排出の停止、警備担当者や管理者あるいは正規の対象者への通報を行う。
通報に際しては、携帯電話システム等を使用して即座に管理者あるいは正規の対象者への通報を平行して行うようにすると、より安全が保障される。正規の対象者が間違ってトラップ情報を入力した場合も、正規の対象者に携帯電話システム等によって通報がいくと、正規の対象者が自らの誤入力を知ることができる。【０００９】  次に、以上のような構成を有する認証装置Ａの動作について説明する。図４に認証装置Ａの動作を表すフローチャートを示す。まず、現金預け払い機Ｘを利用しようとする使用者はカードをカードリーダー１８に挿入し、指示に従って認証情報をタッチパネル１７に入力する。カードリーダー１８に読み取られる識別情報と入力された認証情報は認証装置Ａへと送信されてくるので、認証情報受付部１０３がこれらの情報を受け付ける（ｓ１０１）。この受け付けられた認証情報について、パス情報判断部１０４が、受け付けられた識別情報に関連付けられてパス情報ファイル１０１に記憶されているパス情報と比較し、一致するかどうかを判断する（ｓ１０２）。そして、一致する場合は第１の信号を出力し（ｓ１０３）、処理は終了する。この第１の信号は現金預け払い機Ｘへ送信され、これに応じて現金預け払い動作実行装置Ｂによる通常の現金預け払い動作が行われる。【００１０】  パス情報判断部１０４が認証情報とパス情報とが一致しないと判断した場合は、受け付けられた認証情報について、トラップ情報判断部１０５が、受け付けられた識別情報に関連付けられてトラップ情報ファイル１０２に記憶されているトラップ情報と比較し、一致するかどうかを判断する（ｓ１０４）。ここで、一致する場合は第２の信号を出力し処理は終了する（ｓ１０５）。第２の信号は現金預け払い機Ｘへ送信され、これに応じて不正使用対応動作実行装置Ｃが所定の動作を行う。受け付けられた認証情報がパス情報、トラップ情報のいずれとも一致しない場合は、同じ識別情報に対して認証が行われた回数が３回目かどうかが判断され（ｓ１０６）、３回に満たない場合は、認証情報受付部１０３が第３の信号を出力する（ｓ１０７）。この第３の信号に応じて、現金預け払い機Ｘはあらためてカードの入力と認証情報の入力を促し、識別情報と認証情報の入力を受付、これらの情報が認証装置Ａへと送られて来るので最初に戻って認証情報受付部１０３がこれを受け付ける。ｓ１０６で３回目の認証であると判断された場合は、不正使用者であるものとして第２の信号を出力して現金預け払い機Ｘへ送信し、不正使用対応動作実行装置Ｃを稼動させて処理を終了する。【００１１】  以上のような動作を行うので、不正使用者が推測で認証情報を入力すると、所定の確率で、１回目の認証情報の入力によりカードの排出の停止、警備担当者や管理者あるいは正規の対象者への通報を行うなどの不利益な動作が行われる場合が発生することになる。従って、不正使用者は安易に推測で認証情報を入力することが行いにくくなり、不正使用を効果的に抑制することができる。また、トラップ情報として正規の対象者に関連する情報を選んでおくので不正使用者がトラップ情報を入力する確率が高くなり不正使用を防止できる可能性が高まる。【００１２】  なお、上記の実施の形態では、現金預け払い���について本発明に係る認証装置を利用する例を示したが、本認証装置は認証情報を入力して認証を行うシステムであればどのようなものでも使用することができ、インターネットにおける会員ページへのアクセスの際の認証に利用したりと種々の場面で応用することが可能である。
【図面の簡単な説明】
【００１３】
【図１】  実施の形態に係わる認証装置のハードウエア構成を模式的に示すブロック図である。
【図２】  実施に形態に係わる認証装置の機能を模式的に示す機能ブロック図である。
【図３】  （ａ）はパス情報ファイルのレコード内容を模式的に示す図であり、（ａ）はトラップ情報ファイルのレコード内容を模式的に示す図である。
【図４】  実施の形態に係わる認証装置の動作を示すフローチャートである。
【符号の説明】
【００１４】Ａ      認証装置
１０１  パス情報ファイル
１０２  トラップ情報ファイル
１０３  認証情報受付部
１０４  パス情報判断部
１０５  トラップ情報判断部
【図１】
2006139743.tif 000003
【図２】
2006139743.tif 000004
【図３】
2006139743.tif 000005
【図４】
2006139743.tif 000006